(57)【要約】【課題】本管の管径が小さい場合でも、枝管に管更生材料を反転させながら設置する工法に好適に用いることができる本管と枝管との通線方法を提供すること。【解決手段】本管Ｐ１内に仮配置した通線用の第１の線材１の先端部を枝管Ｐ２との合流部Ｄの近傍まで通し、第１の線材１の先端部に配設した第１の結合体１１と、枝管Ｐ２が接続された地上側の枡３から本管Ｐ１に向けて挿入した通線用の第２の線材２の先端部に配設した第２の結合体２１とを、本管Ｐ１と枝管Ｐ２との合流部Ｄの近傍で結合させた後、第２の線材２を枝管Ｐ２が接続された地上側の枡３から引き上げることにより、第１の線材１を枝管Ｐ２が接続された地上側の枡３まで引き上げて本管Ｐ１から枝管Ｐ２まで通線を行う。【選択図】図１
2009156381.tif 000002
【特許請求の範囲】
【請求項１】
本管内に仮配置した通線用の第１の線材の先端部を枝管との合流部の近傍まで通し、第１の線材の先端部に配設した第１の結合体と、枝管が接続された地上側の枡から本管に向けて挿入した通線用の第２の線材の先端部に配設した第２の結合体とを、本管と枝管との合流部の近傍で結合させた後、第２の線材を枝管が接続された地上側の枡から引き上げることにより、第１の線材を枝管が接続された地上側の枡まで引き上げて本管から枝管まで通線を行うことを特徴とする本管と枝管との通線方法。
【請求項２】
第１の結合体と第２の結合体とが、吸引力によって結合するようにしたことを特徴とする請求項１記載の本管と枝管との通線方法。
【請求項３】
第１の結合体と第２の結合体とが、磁力によって結合するようにしたことを特徴とする請求項１記載の本管と枝管との通線方法。
【請求項４】
第１の線材の基端部を本管内に仮配置した管更生材料の袋状端部に接続可能なように、第１の線材の基端部を管更生材料の袋状端部の近傍に配置することを特徴とする請求項１、２又は３記載の本管と枝管との通線方法。
【請求項５】
本管と枝管との合流部に設置される管更生材料の鍔部の近傍に第１の線材の先端部に配設した第１の結合体を保持した状態で、管更生材料の鍔部が本管と枝管との合流部の近傍に位置するように、管更生材料を本管内を移動させることを特徴とする請求項４記載の本管と枝管との通線方法。
【発明の詳細な説明】
【技術分野】
【０００１】
本発明は、本管と枝管との通線方法に関し、特に、枝管に管更生材料を反転させながら設置する工法に好適に用いることができる本管と枝管との通線方法に関するものである。
【背景技術】
【０００２】
従来、枝管に管更生材料を反転させながら設置する工法として、流体圧を用いて本管内に仮配置した管更生材料を反転させながら枝管に設置する方法が汎用されている（例えば、特許文献１参照）。
【０００３】
この方法の場合、枝管の管径や長さ、さらには、配管の曲がりの状態等の敷設状態によっては、管更生材料の反転が途中で止まるなどしてスムーズな施工ができない等の問題があった。
【０００４】
一方、本管から枝管まで通線を行い、この通線した線材を流体圧と共に用いて本管内に仮配置した管更生材料を反転させながら枝管に設置することが考えられるが、特に、本管の管径が小さい場合等には、管更生材料を本管と枝管の合流部近傍に配置して通線を行うための適当な手段がなく、このため、枝管からの通線を行った後の線と管更生材料の線材とを、本管のマンホール等で人が結線を行い、その後に、管更生材料と枝管からの線を同調させつつマンホール等の結線を行った場所から本管と枝管の合流部まで移動させなければならないという難しい作業を行う必要があった。
【特許文献１】特開平７−６８６４２号公報
【発明の開示】
【発明が解決しようとする課題】
【０００５】
本発明は、上記従来の枝管に管更生材料を反転させながら設置する工法の有する問題点に鑑み、本管の管径が小さい場合でも、枝管に管更生材料を反転させながら設置する工法に好適に用いることができる本管と枝管との通線方法を提供することを目的とする。
【課題を解決するための手段】
【０００６】
上記目的を達成するため、本発明の本管と枝管との通線方法は、本管内に仮配置した通線用の第１の線材の先端部を枝管との合流部の近傍まで通し、第１の線材の先端部に配設した第１の結合体と、枝管が接続された地上側の枡から本管に向けて挿入した通線用の第２の線材の先端部に配設した第２の結合体とを、本管と枝管との合流部の近傍で結合させた後、第２の線材を枝管が接続された地上側の枡から引き上げることにより、第１の線材を枝管が接続された地上側の枡まで引き上げて本管から枝管まで通線を行うことを特徴とする。
【０００７】
この場合において、第１の結合体と第２の結合体とが、吸引力によって結合するようにしたり、磁力によって結合するようにすることができる。
【０００８】
そして、第１の線材の基端部を本管内に仮配置した管更生材料の袋状端部に接続可能なように、第１の線材の基端部を管更生材料の袋状端部の近傍に配置することができる。
【０００９】
この場合において、本管と枝管との合流部に設置される管更生材料の鍔部の近傍に第１の線材の先端部に配設した第１の結合体を保持した状態で、管更生材料の鍔部が本管と枝管との合流部の近傍に位置するように、管更生材料を本管内を移動させることができる。
【発明の効果】
【００１０】
本発明の本管と枝管との通線方法によれば、本管内に仮配置した通線用の第１の線材の先端部を枝管との合流部の近傍まで通し、第１の線材の先端部に配設した第１の結合体と、枝管が接続された地上側の枡から本管に向けて挿入した通線用の第２の線材の先端部に配設した第２の結合体とを、本管と枝管との合流部の近傍で、吸引力や磁力によって、人手を介することなく、結合させるようにしているので、本管の管径が小さい場合でも、第１の線材と第２の線材の先端部同士を簡易に結合することができ、その後、第２の線材を枝管が接続された地上側の枡から引き上げることにより、第１の線材を枝管が接続された地上側の枡まで引き上げて本管から枝管まで通線を行うことができる。
【００１１】
そして、第１の線材の基端部を本管内に仮配置した管更生材料の袋状端部に接続可能なように、第１の線材の基端部を管更生材料の袋状端部の近傍に配置しておき、本管と枝管との合流部に設置される管更生材料の鍔部の近傍に第１の線材の先端部に配設した第１の結合体を保持した状態で、管更生材料の鍔部が本管と枝管との合流部の近傍に位置するように、管更生材料を本管内を移動させることにより、第１の線材と第２の線材の先端部同士を簡易に結合する状態にすることができ、本管から枝管まで通線した第１の線材を用いて本管内に仮配置した管更生材料を反転させながら枝管に設置することができる。
【発明を実施するための最良の形態】
【００１２】
以下、本発明の本管と枝管との通線方法の実施の形態を、図面に基づいて説明する。
【００１３】
図１〜図２に、本発明の本管と枝管との通線方法の一実施例を示す。
【００１４】
この本管と枝管との通線方法は、本管Ｐ１内に仮配置した通線用の第１の線材１の先端部を枝管Ｐ２との合流部Ｄの近傍まで通し、第１の線材１の先端部に配設した第１の結合体１１と、枝管Ｐ２が接続された地上側の枡３から本管Ｐ１に向けて挿入した通線用の第２の線材２の先端部に配設した第２の結合体２１とを、本管Ｐ１と枝管Ｐ２との合流部Ｄの近傍で結合させた後、第２の線材２を枝管Ｐ２が接続された地上側の枡３から引き上げることにより、第１の線材１を枝管Ｐ２が接続された地上側の枡３まで引き上げて本管Ｐ１から枝管Ｐ２まで通線を行うものである。
【００１５】
この場合において、第１の結合体１１と第２の結合体２１とは、吸引力によって結合するように、例えば、第１の結合体１１を直径が３０〜１００ｍｍ程度の発泡スチロール等の発泡樹脂製の球体から構成し、第２の結合体２１をこれに対応する開口端の直径が４０〜１５０ｍｍ程度のロート部材から構成することができる。
【００１６】
そして、第１の線材１には、例えば、５０ｍｍ幅のポリエステル等の合成樹脂製の紐体を用いる。
【００１７】
一方、第２の線材２には、例えば、内径１０ｍｍの合成樹脂製のチューブを用い、このチューブからなる第２の線材２の内部の空気を他端から吸引することによって、第２の線材２を介して、第２の線材２の先端部に配設した第２の結合体２１の先端に吸引による負圧を発生させ、球体からなる第１の結合体１１を吸着して第１の結合体１１と第２の結合体２１とを結合するようにする。
【００１８】
この場合、第２の線材２の先端にロート部材を取り付けることによって、第２の結合体と第１の結合体との結合後の状態を安定させることができる。
【００１９】
なお、第１の結合体１１と第２の結合体２１とは、磁力によって結合するようにすることもでき、この場合、第１の結合体１１と第２の結合体２１の両方を磁石で構成するほか、いずれか一方を磁石で構成し、他方を鉄等の磁性体で構成することができる。
【００２０】
また、第２の線材２を、枝管Ｐ２が接続された地上側の枡３から本管Ｐ１に向けて挿入するために、枝管Ｐ２の敷設状態に容易に対応できる可撓性と適度の弾力性を備えたカーボンファイバー、ピアノ線等からなる補助線材２２を、第２の線材２に並設することができる。
【００２１】
そして、本実施例においては、本管Ｐ１から枝管Ｐ２まで通線するようにした第１の線材１を補助的に用いて本管Ｐ１内に仮配置した管更生材料Ｌを反転させながら枝管Ｐ２に設置することができるように、第１の線材１の基端部１２を本管Ｐ１内に仮配置した管更生材料Ｌの袋状端部に接続可能なように、第１の線材１の基端部１２を管更生材料Ｌの袋状端部の近傍に配置するようにしている。
【００２２】
ここで、「第１の線材１の基端部１２を本管Ｐ１内に仮配置した管更生材料Ｌの袋状端部に接続可能なように、第１の線材１の基端部１２を管更生材料Ｌの袋状端部の近傍に配置する」とは、第１の線材１の基端部１２を管更生材料Ｌの袋状端部に強固に接続する接続方式を含むほか、例えば、第１の線材１の基端部１２が、管更生材料Ｌの袋状端部の近傍に配設されていれば、管更生材料Ｌと第１の線材１とが、管更生材料Ｌを反転させるための加圧力によって密着し、すべることなく接続状態を維持することができることから、このような接続方式も排除しないものとする。そして、この接続方式を用いる場合には、管更生材料Ｌと第１の線材１とが十分に密着するために、第１の線材１は、摩擦力を受ける面が増すように帯状のものを使用することが好ましい。
【００２３】
そして、本管Ｐ１と枝管Ｐ２との合流部Ｄに設置される管更生材料Ｌの鍔部Ｌｆの近傍に第１の線材１の先端部に配設した第１の結合体１１を保持した状態で、管更生材料Ｌの鍔部Ｌｆが本管Ｐ１と枝管Ｐ２との合流部Ｄの近傍に位置するように、管更生材料Ｌを施工装置Ａの収容部Ｂに収容した状態で、牽引索Ｃを介して施工装置Ａ及び収容部Ｂを本管Ｐ１内で移動させるようにし、これにより、第１の線材１の先端部に配設した第１の結合体１１と、枝管Ｐ２が接続された地上側の枡３から本管Ｐ１に向けて挿入した通線用の第２の線材２の先端部に配設した第２の結合体２１とを、本管Ｐ１と枝管Ｐ２との合流部Ｄの近傍で結合させることができるようにする。
【００２４】
この本管と枝管との通線方法によれば、本管Ｐ１内に仮配置した通線用の第１の線材１の先端部を枝管Ｐ２との合流部Ｄの近傍まで通し、第１の線材１の先端部に配設した第１の結合体１１と、枝管Ｐ２が接続された地上側の枡３から本管Ｐ１に向けて挿入した通線用の第２の線材２の先端部に配設した第２の結合体２１とを、本管Ｐ１と枝管Ｐ２との合流部Ｄの近傍で、吸引力や磁力によって、人手を介することなく、結合させることにより、本管Ｐ１の管径が小さい場合でも、第１の線材１と第２の線材２の先端部同士を簡易に結合することができ、その後、第２の線材２を枝管Ｐ２が接続された地上側の枡３から引き上げることにより、第１の線材１を枝管Ｐ２が接続された地上側の枡３まで引き上げて本管Ｐ１から枝管Ｐ２まで通線を行うことができる。
【００２５】
また、このように簡易に結合された第１の線材１と第２の線材２の先端部同士をスムーズに枡３まで引き上げるためには、枝管Ｐ２の長さ分の第１の線材１の線が、スムーズに送り出されるように束ねた状態で、管更生材料Ｌの鍔部Ｌｆの近傍に配置されていることが好ましい。これは、第２の線材２を引き上げる際に、第１の線材１と共に管更生材料Ｌを動かす必要があると、第１の線材１と第２の線材２の先端部同士の簡易な結合がはずれることがあるからである。
【００２６】
また、第１の線材１の基端部１２を、本管Ｐ１内に仮配置した管更生材料Ｌの袋状端部に接続可能なように、第１の線材１の基端部１２を管更生材料Ｌの袋状端部の近傍に配置しておき、本管Ｐ１と枝管Ｐ２との合流部Ｄに設置される管更生材料Ｌの鍔部Ｌｆの近傍に第１の線材１の先端部に配設した第１の結合体１１を保持した状態で、管更生材料Ｌの鍔部Ｌｆが本管Ｐ１と枝管Ｐ２との合流部Ｄの近傍に位置するように、管更生材料Ｌを本管Ｐ１内を移動させることにより、第１の線材１と第２の線材２の先端部同士を簡易に結合する状態にすることができ、本管Ｐ１から枝管Ｐ２まで通線した第１の線材１を流体圧と共に用いて本管Ｐ１内に仮配置した管更生材料Ｌを反転させながら枝管Ｐ２に設置することができる。
【００２７】
以上、本発明の本管と枝管との通線方法について、その実施例に基づいて説明したが、本発明は上記実施例に記載した構成に限定されるものではなく、その趣旨を逸脱しない範囲において適宜その構成を変更することができるものである。
【産業上の利用可能性】
【００２８】
本発明の本管と枝管との通線方法は、人手を介することなく、本管から枝管まで通線を行うことができることから、枝管に管更生材料を反転させながら設置する工法に好適に用いることができるほか、例えば、通信ケーブルの敷設の用途等にも用いることができる。
【図面の簡単な説明】
【００２９】
【図１】本発明の本管と枝管との通線方法の一実施例を示す説明図である。
【符号の説明】
【００３０】
１    第１の線材
１１  第１の結合体
２    第２の線材
３    枡
２１  第２の結合体
２２  補助線材
Ｄ    合流部
Ｌ    管更生材料
Ｌｆ  鍔部
Ｐ１  本管
Ｐ２  枝管
【図１】
2009156381.tif 000003